(57)【要約】【課題】使用者が製品の購入後に棚や引き出し等の配置を変更することが可能なシステム家具セットを提供する。【解決手段】テレビ等のＡＶ機器を載置するための底板１１１Ａ、底板１１１Ａの上に該ＡＶ機器を載置できる空間を空けて設けられた天板１１１Ｂ、並びに該ＡＶ機器の両側に設けられ天板１１１Ｂを支える右側板１１１Ｃ及び左側板１１１Ｄを有するＡＶ機器収容部１１１と、ＡＶ機器収容部１１１の上に載置されそれと同じ幅を有する収納ケース１１３とを備える第１ユニット１１と、幅が等しい複数の収納ケース１２１〜１２３を積み重ねたものであって、第１ユニット１１の側部に設けられた第２ユニット１２と、第１ユニット１１及び第２ユニット１２の上面と天井１９の間に設けられた突っ張り具１４とを備える。【選択図】図１
0003166660.tif 000002
【実用新案登録請求の範囲】
【請求項１】
a) 底板、該底板の上にＡＶ機器を収容できる空間を空けて設けられた天板、及び該ＡＶ機器の両側に設けられ該天板を支える2枚の側板を有するＡＶ機器収容部と、前記ＡＶ機器収容部の上に載置され該ＡＶ機器収容部と同じ幅を有する１つ又は複数の収納ケースと、を備える第１ユニットと、
b) 幅が等しい複数の収納ケースを積み重ねたものであって、前記第１ユニットの側部に設けられた第２ユニットと、
c) 前記第１ユニット及び前記第２ユニットの上面と、該第１ユニット及び該第２ユニットの設置箇所の天井の間に設けられた突っ張り具と
を備えることを特徴とするシステム家具セット。
【請求項２】
前記第１ユニットの高さと前記第２ユニットの高さが等しいことを特徴とする請求項１に記載のシステム家具セット。
【請求項３】
前記底板の下に、又はテレビを収納する空間を前記底板との間に残して前記天板の下に、収納部を備えることを特徴とする請求項１又は２に記載のシステム家具セット。
【請求項４】
前記突っ張り具と前記天井の間に当て板を備えることを特徴とする請求項１〜３のいずれかに記載のシステム家具セット。
【請求項５】
台座の上に、幅が等しい複数の収納ケースを積み重ねたシステム家具セットであって、
a) 前記台座の上面に固定された複数の突起と、
b) 前記複数の収納ケースの各々における底板の、前記複数の突起に対応する位置に設けられた、該突起と係合可能な径を有する第１孔と、
c) 前記各収納ケースの底板の前記第１孔とは異なる位置に設けられた、該第１孔よりも径が小さい複数の第２孔と、
d) 前記各収納ケースの天板の、前記第２孔に対応する位置に設けられた、該第２孔と同径の第３孔と、
e) 上下に隣接する２個の収納ケースにおいて、上側の収納ケースに設けられた第２孔及び下側の収納ケースに設けられた第３孔に係合し、前記突起よりも径が小さい、該第２孔及び該第３孔と同数の連結ピンと
を備えることを特徴とするシステム家具セット。
【考案の詳細な説明】
【技術分野】
【０００１】
本考案は、書籍やビデオディスク等を収納する、棚や引き出し等を有する収納ケースを複数組み合わせたシステム家具セット、及びそれら収納ケースとテレビ、プロジェクタ、オーディオ機器等のＡＶ（Audio and Visual、音響・映像）機器を収容するＡＶ機器収容部を一体的に組み合わせたシステム家具セットに関する。
【背景技術】
【０００２】
従来より、ＡＶ機器収容部と収納ケースを一体的に組み合わせたシステム家具セットが市販されている。このようなシステム家具セットは、ＡＶ機器を収容するＡＶ機器収容部と収納ケースを空間的にばらばらに設置するよりもスペースを節約することができると共に、デザインの統一性を取ることができるという利点を有する。
【０００３】
特許文献１には、収納ボックス（収納ケース）を縦に複数個積み重ねると共にそれらを横にも並べ、縦又は横に隣接する収納ボックス同士を填込み穴及び填込み部材を用いて固定した組み合わせユニットボックスが記載されている。各収納ボックスは、内部に仕切り板を設置することができる一方、テレビ等の大きな物を収容できるように仕切り板を設けないようにすることもできる。
【先行技術文献】
【特許文献】
【０００４】
【特許文献１】特開2005-230079号公報
【考案の概要】
【考案が解決しようとする課題】
【０００５】
特許文献１に記載の構成によると、各収納部は、購入時には使用者が好みのものを選択することができるものの、一旦購入してしまうとその構成を変更することができない。例えば、縦に積み重ねられた複数個の収納ボックスの位置を入れ替えようとしても、収納ボックス同士が固定されているため、そのような入れ替えはできない。
【０００６】
本考案が解決しようとする課題は、使用者が製品の購入後に棚や引き出し等の配置を変更したり、それらの一部を取り替える（買い替える）ことが可能なシステム家具セットを提供することである。
【課題を解決するための手段】
【０００７】
上記課題を解決するために成された本考案に係るシステム家具セットの第１の態様は、
a) 底板、該底板の上にＡＶ機器を収容できる空間を空けて設けられた天板、及び該ＡＶ機器の両側に設けられ該天板を支える2枚の側板を有するＡＶ機器収容部と、前記ＡＶ機器収容部の上に載置され該ＡＶ機器収容部と同じ幅を有する１つ又は複数の収納ケースと、を備える第１ユニットと、
b) 幅が等しい複数の収納ケースを積み重ねたものであって、前記第１ユニットの側部に設けられた第２ユニットと、
c) 前記第１ユニット及び前記第２ユニットの上面と、該第１ユニット及び該第２ユニットの設置箇所の天井の間に設けられた突っ張り具と
を備えることを特徴とする。
【０００８】
本考案に係るシステム家具セットでは、突っ張り具で第１ユニット及び第２ユニットの上面を下方に押さえつけることにより、上下に隣接するＡＶ機器収容部と収納ケース又は収納ケース同士が押し付け合うため、それらを固定することができる。使用者は、製品を購入した後にも、突っ張り具を外すだけで、上下に隣接する収納ケース同士の固定を全て解除することができ、それにより各収納ケースの位置を互いに入れ替えることができる。また、第１ユニットと第２ユニットの位置も互いに入れ替えることができる。一方、各ＡＶ機器収容部や収納ケースをばらばらに購入する場合とは異なり、ＡＶ機器収容部と収納ケースを一体的に組み合わせるため、スペースの節約やデザインの統一性を取るというシステム家具セット本来の利点を損ねることはない。
【０００９】
前記第１ユニットの高さと前記第２ユニットの高さは等しい方が、見栄えがよいうえ、同じ長さの突っ張り具を用いることができるため望ましい。
【００１０】
第２ユニットは複数設けてもよい。例えば、第２ユニットは第１ユニットの左右に1つずつ設けてもよいし、第１ユニットの右又は／及び左に2つ以上設けてもよい。このように第２ユニットを複数設ける場合には、第２ユニット同士の位置を入れ替えることもできる。
【００１１】
第１の態様において、ＡＶ機器収容部の底板の下に、引き出しや棚等から成り、ビデオディスクや書籍等を収納する収納部を設けてもよい。同様に、本考案において、ＡＶ機器収容部の天板の下に、載置板との間にＡＶ機器を収納する空間を残してそのような収納部を設けてもよい。
【００１２】
本考案に係るシステム家具セットの第２の態様は、台座の上に、幅が等しい複数の収納ケースを積み重ねたシステム家具セットであって、
a) 前記台座の上面に固定された複数の突起と、
b) 前記複数の収納ケースの各々における底板の、前記複数の突起に対応する位置に設けられた、該突起と係合可能な径を有する第１孔と、
c) 前記各収納ケースの底板の前記第１孔とは異なる位置に設けられた、該第１孔よりも径が小さい複数の第２孔と、
d) 前記各収納ケースの天板の、前記第２孔に対応する位置に設けられた、該第２孔と同径の第３孔と、
e) 上下に隣接する２個の収納ケースにおいて、上側の収納ケースに設けられた第２孔及び下側の収納ケースに設けられた第３孔に係合し、前記突起よりも径が小さい、該第２孔及び該第３孔と同数の連結ピンと
を備えることを特徴とする。
【００１３】
第２の態様のシステム家具セットでは、台座とそれに載置される収納ケースは第１孔と突起により連結し、収納ケースとそれに載置される他の収納ケースは第２孔、第３孔と連結ピンにより連結する。ここで、台座の突起は、地震で横揺れが生じた時等に、その台座上に積み重ねられた全ての収納ケースの荷重による横方向の力を受けるため、連結ピンよりも強い強度が必要となる。一方、連結ピンは、それを太くすると第２孔及び第３孔の径も大きくする必要が生じ、それにより、最上段に配置された収納ケースの天板に設けられた第３孔にほこりが溜まりやすくなる。そこで、本考案では突起よりも連結ピンの径を小さくし、それに対応して第１孔よりも第２孔及び第３孔の径を小さくする。そして、収納ケースの底板では、第１孔と第２孔の径が異なるため、両者を別々に設ける。
【００１４】
第２の態様のシステム家具セットでは、各収納ケースの底板に、台座の突起と係合するための第１孔と、連結ピンにより他の収納ケースの天板の第３孔と連結するための第２孔の双方を設けているため、複数の収納ケースのうちのいずれを一番下側に配置しても、そのケースの下に台座を配置することができ、且つ、そのケースの上に他の収納ケースを配置することができる。従って、上下の収納ケースの位置を入れ替えることができる。
【００１５】
また、台座と収納ケースは第１孔に突起を差し込むだけで、上下の収納ケースは第２孔及び第３孔に連結ピンを差し込むだけで、それぞれ横方向にずれないように固定することができる。
【００１６】
第２の態様のシステム家具セットは、第１の態様のシステム家具セットの第２ユニットとして用いることができると共に、それ自体を独立の（即ちＡＶ機器収容部を有しない）システム家具セットとして用いることもできる。また、第２の態様のシステム家具セットを２個以上横に並べてもよい。
【考案の効果】
【００１７】
本考案によれば、複数の収納ケースの位置を互いに入れ替えることができるため、製品の購入後に、収納ケースの配置を変更したり、収納ケースの一部を取り替える（買い替える）ことができる。そのため、使用目的の変更や部屋の模様替え等にも柔軟に対応することができる。
【図面の簡単な説明】
【００１８】
【図１】本考案に係る第１の態様のシステム家具セットの一実施例（実施例１）を示す正面図。
【図２】実施例１のシステム家具セットの(a)A-A断面図、(b)B-B断面図及び(c)C-C断面図。
【図３】実施例１のシステム家具セットにおける収納ケース及びテレビ収納ユニットの上下左右方向の配列を変更する例を示す正面図。
【図４】実施例１のシステム家具セットにおいて、一部の構成要素のみを組み上げる例を示す概略図。
【図５】実施例１のシステム家具セットにおいて、構成要素を変更する例を示す概略図。
【図６】実施例１のシステム家具セットの変形例を示す正面図。
【図７】本考案に係る第２の態様のシステム家具セットの一実施例（実施例２）を示す(a)正面図及び(b)縦断面図。
【図８】実施例２のシステム家具セットにおける台座の上面図（(a-1), (a-2)）、収納ケースの底板の下面図（(b-1), (b-2)）及び収納ケースの天板の上面図（(c-1), (c-2)）。
【図９】実施例２のシステム家具セットにおける(a)台座及び収納ケースの底板の縦断面図、並びに(b)収納ケースの天板及び底板の縦断面図。
【図１０】実施例２のシステム家具セットにおいて、収納ケースの上下左右方向の配列を変更する例を示す正面図。
【図１１】実施例２のシステム家具セットの変形例を示す正面図。
【図１２】実施例２のシステム家具セットの変形例を示す正面図。
【考案を実施するための形態】
【００１９】
図１〜図１２を用いて、本考案に係るシステム家具セットの実施例を説明する。
【実施例１】
【００２０】
まず、第１の態様のシステム家具セットの実施例について、図１〜図６を用いて説明する。本実施例のシステム家具セット１０は、図１及び図２に示すように、テレビ等のＡＶ機器を収容するＡＶ機器収容部１１１及び複数の収納ケースを有する中央ユニット（第１ユニット）１１、並びに、複数の収納ケースを有し中央ユニット１１に向かって右側に配置された右側部ユニット１２、及び複数の収納ケースを有し中央ユニット１１に向かって左側に配置された左側部ユニット１３とを備える。右側部ユニット１２及び左側部ユニット１３はいずれも上記第２ユニットに相当する。
【００２１】
ＡＶ機器収容部１１１は、ＡＶ機器を載置するための底板１１１Ａ、並びに該底板１１１Ａの上に該ＡＶ機器を囲うように設けられた天板１１１Ｂ、右側板１１１Ｃ及び左側板１１１Ｄを有する。また、該ＡＶ機器の背後に、テレビのケーブルなどを通過させる孔１１１Ｆを有する背板１１１Ｅが設けられている。底板１１１Ａの下には、ビデオデッキ収容部１１１Ｇ及び引き出し１１１Ｈが設けられている。なお、ビデオデッキ収容部１１１Ｇには背板がない。天板１１１Ｂの下には、底板１１１Ａとの間にＡＶ機器を収容する空間１１１Ｊを残して、ＡＶ機器収容部内収納棚１１１Ｋが設けられている。ＡＶ機器収容部内収納棚１１１Ｋは３枚扉の（前面に３枚の扉を有する）収納棚であって、内部に２段の棚を有する。
【００２２】
天板１１１Ｂの上には、中央上段収納ケース１１３が載置されている。中央上段収納ケース１１３はＡＶ機器収容部内収納棚１１１Ｋと同様に２段の棚を有する３枚扉の収納棚であり、ＡＶ機器収容部１１１と同じ幅を有する。
【００２３】
右側部ユニット１２には、下から順に右側部下段収納ケース１２１、右側部中段収納ケース１２２及び右側部上段収納ケース１２３が設けられている。右側部下段収納ケース１２１は４段の引き出しを有する。右側部中段収納ケース１２２及び右側部上段収納ケース１２３は共に２枚扉の収納棚であり、前者は４段、後者は２段の棚を有する。
【００２４】
左側部ユニット１３には、下から順に左側部下段収納ケース１３１、左側部中段収納ケース１３２及び左側部上段収納ケース１３３が設けられている。本実施例では左側部ユニット１３は右側部ユニットよりも幅を狭くしているが、もちろん、その逆でもよいし、左右の側部ユニットを同じ幅にしてもよい。左側部下段収納ケース１３１及び左側部中段収納ケース１３２は、幅を除いて、それぞれ右側部下段収納ケース１２１及び右側部中段収納ケース１２２と同様の構成を有する。左側部上段収納ケース１３３は、２枚扉であって棚の無い収容ケースであり、他の収容ケースよりも高い物を収容することができる。
【００２５】
中央ユニット１１、右側部ユニット１２及び左側部ユニット１３は色が統一されていると共に高さが揃えられているため、システム家具セット１０は全体として統一感のある見栄えを呈する。
【００２６】
中央ユニット１１、右側部ユニット１２及び左側部ユニット１３の上端には突っ張り具１４を取り付ける。これら各ユニットの最上部に載置された収納ケースと天井１９の間に突っ張り具１４を設け、突っ張り具１４の上端で天井を上端に押すと共に突っ張り具１４の下端で収納ケースを押し下げる。これにより、ＡＶ機器収容部１１１を設置箇所に固定することができると共に、上下に隣接する収納ケース同士又はＡＶ機器収容部と収納ケースの間において、両者を直接固定具で固定しなくとも、両者の横方向の位置がずれることを防ぐことができる。なお、図１及び図２に示した例では、天井１９と突っ張り具１４の間に当て板１４１を設けることにより、天井１９に印加される力を分散している。
【００２７】
なお、本実施例の説明においては、各収納ケースを図１及び図２に示すように配置した場合を基準として「上段」、「中段」、「下段」、と呼んでいるが、以下に述べるように、これら収納ケースの上下関係は図１及び図２に示したものには固定されない。「左側部」、「右側部」、「中央」についても同様である。
【００２８】
本実施例のシステム家具セット１０においては、突っ張り具１４を取り外すことにより、各ユニットをＡＶ機器収容部又は収納ケースを構成単位として分解することができる。そのように分解したうえで、上下方向の構成単位の順番を入れ替えることができる。
【００２９】
例えば、図３(a)に示すように、右側部下段収納ケース１２１と右側部中段収納ケース１２２の位置、及び左側部下段収納ケース１３１と左側部中段収納ケース１３２の位置を入れ替えることができる。これにより、前扉付きの収納棚である右側部中段収納ケース１２２及び左側部中段収納ケース１３２を一番下側に配置することとなる。このような配置にすると、例えば、収納棚のすぐ横にビデオデッキ収容部１１１Ｇが配置されるため、これら収納棚にビデオのディスクを収納することにより、ディスクの交換をしやすくなる、という利点がある。
【００３０】
また、図３(b)に示すように、右側部ユニット１２と左側部ユニット１３を入れ替えてもよいし、図３(c)に示すように、右側部ユニット１２と左側部ユニット１３を共に中央ユニット１１の右側又は左側のいずれか一方に配置してもよい。
【００３１】
本考案ではＡＶ機器収容部と収納ケースを一体的に組み合わせることを目的としているが、使用環境の変化（例えば使用者が部屋の模様替えをしたり引越しをしたりした場合）等の事情によっては、例えば図３(d)に示すように、ＡＶ機器収容部及び収納ケースをばらばらにして配置し直してもよい。
【００３２】
また、経済的な理由や部屋の収容スペース等の都合により、使用者が一度にシステム家具セット１０の構成要素を全て購入できない場合には、図４に示すように、まずは構成要素の一部のみを購入して組み上げ、その後、構成要素を順次買い足すようにしてもよい。
【００３３】
さらには、図５に示すように、構成要素を変更することもできる。図５(a)の例では、４段の引き出しを有する右側部下段収納ケース１２１の代わりに４段の収納棚を有する右側部下段収納ケース１２１Ａを用いると共に、４段の収納棚を有する左側部中段収納ケース１３２の代わりに４段の引き出しを有する左側部中段収納ケース１３２Ａを用いる。図５(b)の例では、４段の収納棚を有する右側部中段収納ケース１２２の代わりに４段の引き出しを有する右側部中段収納ケース１２２Ａを用いると共に、４段の引き出しを有する左側部下段収納ケース１３１の代わりに４段の収納棚を有する左側部下段収納ケース１３１Ａを用いる。これらの例では、右側部ユニット１２と左側部ユニット１３のいずれか一方には収納棚が集中的に配置され、他方には引き出しが集中的に配置されることとなる。
【００３４】
なお、図３〜図５では、突っ張り具１４及び当て板１４１の図示を省略した。
【００３５】
上記実施例のシステム家具セットではＡＶ機器収容部１１１の上に収納ケースを１つ（中央上段収納ケース１１３）のみ設けたが、図６に示したシステム家具セット２０のように、中央ユニット２１において、ＡＶ機器収容部２１１の上に収納ケースを２つ以上設けてもよい。この例のシステム家具セット２０では、ＡＶ機器収容部２１１にはＡＶ機器収容部内収納棚を設けず、ＡＶ機器を収容する空間の上に直接天板２１１Ｂを設けている。そして、天板２１１Ｂの上に中央中段収納ケース２１２を載置し、中央中段収納ケース２１２の上に中央上段収納ケース２１３を載置した。このようにＡＶ機器収容部２１１の上に収納ケースを２つ以上設けることにより、それら収納ケース同士の位置を入れ替えることができる。
【実施例２】
【００３６】
次に、第２の態様のシステム家具セットの実施例について、図７〜図１２を用いて説明する。本実施例のシステム家具セット３０は、図７に示すように、複数の収納ケースを有する左ユニット３１と、左ユニット３１の右側に設けられた、複数の収納ケースを有し左ユニット３１よりも左右方向の幅が広い右ユニット３２を備える。左ユニット３１は、左台座３１０の上に第１左収納ケース３１１を載置し、第１左収納ケース３１１の上に第２左収納ケース３１２を載置したものである。また、右ユニット３２は、右台座３２０の上に第１右収納ケース３２１を載置し、第１右収納ケース３２１の上に第２右収納ケース３２２を載置したものである。
【００３７】
第１左収納ケース３１１は、縦に２段、横に２列の収納スペースを有し、各収納スペースの前面に板状の蓋４１が設けられている。第１左収納ケース３２１は、縦に２段、横に３列の収納スペースを有し、前記と同様の蓋４１が設けられている。蓋４１は、閉じた状態における下端を前方且つ上方に回動させることにより開き、略水平になるまで回動させたところで収納スペースの内方に押し込むことにより、開いた状態を維持することができる。また、前記下端には、書籍等を掛け置くことができると共に蓋４１の開閉時に取っ手となる鉤部４１１が設けられている。一方、第２左収納ケース３１２は内部に３段の棚を有する２枚扉の収納棚であり、第２右収納ケース３２２は内部に３段の棚を有する３枚扉の収納棚である。
【００３８】
左ユニット３１において、左台座３１０は木製であり、上面から見ると、長方形の枠状の形状を有する（図８(a-1)）。その枠の上面には、前記長方形の短辺の一方の中点に１個、及び長辺の両方の中点よりも前記一方の短辺から遠い側に１個ずつ、合計３個の木製の突起３４が設けられている。また、第１左収納ケース３１１及び第２左収納ケース３１２はいずれも木製である。それら収納ケースにはいずれも、長方形の底板３５の下面であって、それら収納ケースを左台座３１０上に載置した際に各突起３４の位置に対応する所に第１孔３６が設けられている。第１孔３６は、突起３４の外径と同じ又はわずかに内径が大きく、突起３４の高さよりも下面からの深さが深い。それと共に、底板３５の下面には、２つの長辺の中点からやや内側に入った位置に１個ずつ、後述の所定の深さを有し、第１孔よりも径が小さい第２孔３７が設けられている（図８(b-1)）。更に、第１左収納ケース３１１及び第２左収納ケース３１２にはいずれも、長方形の天板３８の上面に、それら収納ケースを他方の収納ケースの天板３８上に載置した際に第２孔３７の位置に対応する所に、所定の深さを有し径が第２孔３７と同じである第３孔３９が設けられている（図８(c-1)）。
【００３９】
第１左収納ケース３１１又は第２左収納ケース３１２を左台座３１０の上に載置する際には、底板３５の第１孔３６に左台座３１０の突起３４を挿入する（図９(a)）。一方、第１左収納ケース３１１又は第２左収納ケース３１２を他方の収納ケースに載置する際には、下側の収納ケースの天板３８に設けられた第３孔３９に、該第３孔３９の径と同じか又はわずかに小さい外径を有する円柱状であって金属製の連結ピン４０を挿入し、上側の収納ケースの底板３５に設けられた第２孔３７に該連結ピン４０を挿入する（図９(b)）。前述の第２孔３７及び第３孔３９の深さは、両者の和が連結ピン４０の長さよりもやや大きくしておく。
【００４０】
このように、第１左収納ケース３１１及び第２左収納ケース３１２は、共に第１孔３６と第２孔３７の双方を有するため、いずれも左台座３１０の上にも他方の収納ケースの上にも載置することができる。そのため、第１左収納ケース３１１と第２左収納ケース３１２の位置を入れ替えることができる（図１０(a)）。
【００４１】
右ユニット３２においても左ユニット３１と同様に、右台座３２０の上面に突起３４が、第１右収納ケース３２１及び第２右収納ケース３２２の底板３５Ａの下面に第１孔３６及び第２孔３７が、第１右収納ケース３２１及び第２右収納ケース３２２の天板３８Ａの上面に第３孔３９が、それぞれ設けられている。但し、右ユニット３２は以下の点で左ユニット３１と相違する。突起３４は右台座３２０における長方形の長辺の一方に２個、短辺の両方に１個ずつ、合計４個設けられている。それに対応して第１孔３６も４個設けられている。第２孔３７は長方形の底板３５Ａの短辺側に１個ずつ設けられており、第３孔３９は第２孔３７の位置に対応して同じく２個設けられている。右ユニット３２は、左ユニット３１と同様の理由により、第１右収納ケース３２１と第２右収納ケース３２２の位置を入れ替えることができる（図１０(a)）。
【００４２】
上記図１０(a)の例では、左ユニット３１と右ユニット３２の双方において上下の収納ケースを入れ替えたが、図１０(b)に示すように、一方のユニットにおいてのみ上下の収納ケースを入れ替えてもよい。また、図１０(c)に示すように、左ユニット３１と右ユニット３２の左右の位置を入れ替えてもよい。さらには、左右に３ユニット以上配置すること（図１０(d)）、１ユニットのみ配置すること（図示省略）、各ユニットにおいて収納ケースを３個以上積むこと（図示省略）もできる。あるいは、図１１に示すように、引き出し式の収納ケース３３を用いることもできる。
【００４３】
本実施例では、連結ピン４０には金属製のものを用い、それ以外の部材にはいずれも木製のものを用いたが、各部材の材料はそれには限定されず、木製、金属製、プラスティック製等の部材を適宜組み合わせることができる。
【００４４】
また、図１２に示すように、例えば第１台座５１０Ａの上に第１収納ケース５１１を載置し、第１収納ケース５１１の上に第２収納ケース５１２を載置した場合において、第２収納ケース５１２を第１収納ケース５１１上から降ろして、第１台座５１０Ａとは別の第２台座５１０Ｂの上に載置することもできる。このように、使用者の好みに合わせて、積み重ねる収納ケースの数を変えることもできる。
【符号の説明】
【００４５】
１０、２０、３０…システム家具セット
１１、２１…中央ユニット（第１ユニット）
１１１、２１１…ＡＶ機器収容部
１１１Ａ…底板
１１１Ｂ、２１１Ｂ…天板
１１１Ｃ…右側板
１１１Ｄ…左側板
１１１Ｅ…背板
１１１Ｆ…孔
１１１Ｇ…ビデオデッキ収容部
１１１Ｈ…引き出し
１１１Ｊ…ＡＶ機器を収容する空間
１１１Ｋ…ＡＶ機器収容部内収納棚
１１３…中央上段収納ケース
１２…右側部ユニット（第２ユニット）
１２１、１２１Ａ…右側部下段収納ケース
１２２、１２２Ａ…右側部中段収納ケース
１２２１…右側部中段第１収納ケース
１２２２…右側部中段第２収納ケース
１２３…右側部上段収納ケース
１３…左側部ユニット（第２ユニット）
１３１、１３１Ａ…左側部下段収納ケース
１３２、１３２Ａ…左側部中段収納ケース
１３３…左側部上段収納ケース
１４…突っ張り具
１４１…当て板
１９…天井
２１２…中央中段収納ケース
２１３…中央上段収納ケース
３１…左ユニット
３１０…左台座
３１１…第１左収納ケース
３１２…第２左収納ケース
３２…右ユニット
３２０…右台座
３２１…第１右収納ケース
３２２…第２右収納ケース
３３…引き出し式の収納ケース
３４…突起
３５、３５Ａ…収納ケースの底板
３６…第１孔
３７…第２孔
３８、３８Ａ…収納ケースの天板
３９…第３孔
４０…連結ピン
４１…蓋
４１１…鉤部
５１０Ａ…第１台座
５１０Ｂ…第２台座
５１１…第１収納ケース
５１２…第２収納ケース
【図１】
0003166660.tif 000003
【図２】
0003166660.tif 000004
【図３】
0003166660.tif 000005
【図４】
0003166660.tif 000006
【図５】
0003166660.tif 000007
【図６】
0003166660.tif 000008
【図７】
0003166660.tif 000009
【図８】
0003166660.tif 000010
【図９】
0003166660.tif 000011
【図１０】
0003166660.tif 000012
【図１１】
0003166660.tif 000013
【図１２】
0003166660.tif 000014
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
台座の上に、幅が等しい複数の収納ケースを積み重ねたシステム家具セットであって、
a) 前記台座の上面に固定された複数の突起と、
b) 前記複数の収納ケースの各々における底板の、前記複数の突起に対応する位置に設けられた、該突起と係合可能な径を有する第１孔と、
c) 前記各収納ケースの底板の前記第１孔とは異なる位置に設けられた、該第１孔よりも径が小さい複数の第２孔と、
d) 前記各収納ケースの天板の、前記第２孔に対応する位置に設けられた、該第２孔と同径の第３孔と、
e) 上下に隣接する２個の収納ケースにおいて、上側の収納ケースに設けられた第２孔及び下側の収納ケースに設けられた第３孔に係合し、前記突起よりも径が小さい、該第２孔及び該第３孔と同数の連結ピンと
を備えることを特徴とするシステム家具セット。